(57)【特許請求の範囲】
【請求項１】
窓枠と障子とを備え、障子は、上框と下框と左右の縦框を四方枠組みした枠内にパネルを保持しており、框は、室外側に配置した金属製框部材と、室内側に配置した合成樹脂製框部材と、合成樹脂製框部材の室内側に配置した木質部材とを有し、金属製框部材は、框内周側に突出する室外側パネル保持片を有し、合成樹脂製框部材は、框内周側に突出する室内側パネル保持片を有し、室内側パネル保持片は、室内側に木質部材との隙間を有し、且つ先端部に木質部材との重なり部を有しており、木質部材は、室外側面に重なり部を収容する溝を有し、重なり部と溝との間に室内側パネル保持片の室内側への変形を許容する隙間が形成されていることを特徴とする窓。
【発明の詳細な説明】
【技術分野】
【０００１】
本発明は、障子の框が金属製框部材と合成樹脂製框部材と木質部材とからなる窓に関するものである。
【背景技術】
【０００２】
従来より、結露の防止と室内側の装飾性の向上の観点から、障子の框を室外側のアルミ等の金属製框部材と室内側の合成樹脂製框部材を結合して構成し、さらに合成樹脂製框部材の室内側に木質部材を取付けたものがある（例えば特許文献１参照。）。かかる障子の框は、金属製框部材に形成した室外側パネル保持片と合成樹脂製框部材に形成した室内側パネル保持片との間に、ガラス等のパネルの端部をグレイジングチャンネルを介して嵌め込んでいるが、室内側パネル保持片は合成樹脂製であるために変形しやすく、パネルを嵌め込む時などに室内側パネル保持片が室内側に曲がるように変形することがあった。室内側パネル保持片が室内側に変形すると、その室内側に配置した木質部材が室内側パネル保持片に押されて浮き上がり、木質部材がずれたり外れたりする不都合があった。
【特許文献１】特開２００３−１４８０５７号公報
【発明の開示】
【発明が解決しようとする課題】
【０００３】
本発明は以上に述べた実情に鑑みてなされたものであって、室内側パネル保持片が室内側に変形しても、木質部材がずれたり外れたりすることのない窓の提供を目的とする。
【課題を解決するための手段】
【０００４】
上記の課題を達成するために本発明の窓は、窓枠と障子とを備え、障子は、上框と下框と左右の縦框を四方枠組みした枠内にパネルを保持しており、框は、室外側に配置した金属製框部材と、室内側に配置した合成樹脂製框部材と、合成樹脂製框部材の室内側に配置した木質部材とを有し、金属製框部材は、框内周側に突出する室外側パネル保持片を有し、合成樹脂製框部材は、框内周側に突出する室内側パネル保持片を有し、室内側パネル保持片は、室内側に木質部材との隙間を有し、且つ先端部に木質部材との重なり部を有しており、木質部材は、室外側面に重なり部を収容する溝を有し、重なり部と溝との間に室内側パネル保持片の室内側への変形を許容する隙間が形成されていることを特徴とする。
【発明の効果】
【０００５】
本発明の窓は、合成樹脂製框部材の室内側パネル保持片の室内側に木質部材との隙間を有し、室内側パネル保持片の先端部に木質部材との重なり部を有し、木質部材は室外側面に重なり部を収容する溝が形成してあって、重なり部と溝との間に室内側パネル保持片の室内側への変形を許容する隙間が形成されているため、室内側パネル保持片が室内側に変形したとしても木質部材が室内側パネル保持片によって室内側に押されることがなく、したがって木質部材がずれたり外れたりすることがない。しかも、室内側パネル保持片の先端部の重なり部が木質部材室外側面の溝に収容されていることで、室内側パネル保持片と木質部材との間の隙間が室内側から見えず、意匠的にも良好である。
【発明を実施するための最良の形態】
【０００６】
以下、本発明の実施の形態を図面に基づいて説明する。図１から図６は、本発明の窓の一実施形態に係るたてすべり出し窓を示している。この窓は、壁開口部１１内側に窓枠１が取付けてあり、窓枠内の開口部を塞ぐように一つの障子２が窓枠１に取付けてある。障子２は、図３に示すように、上枠１２と上框３の間と、下枠１３と下框４の間とに設けたフリクションステー１５により窓枠１に支持されており、窓を開けたときには、図６に示すように、障子２が室外側に移動するとともに一方の縦框５側を支点として９０度回転する。障子２の開閉は、下枠１３室内側に設けたオペレータハンドル１６を操作することにより行うことができる。窓枠１内の障子２の室内側には、網戸１７が取付けてある。
【０００７】
障子２は、図５に示すように、上框３と下框４と左右の縦框５，５を四方枠組みし、その枠内にパネル６を保持している。
上框３は、図１に示すように、室外側にアルミニウム合金の押出形材よりなる金属製框部材３ａを配置してあり、室内側に合成樹脂の押出形材よりなる合成樹脂製框部材３ｂを配置してあり、合成樹脂製框部材３ｂの室内側に帯板状の木質部材３ｃを配置してある。金属製框部材３ａと合成樹脂製框部材３ｂとは、金属製框部材３ａの室内側面と合成樹脂製框部材３ｂの室外側面とにそれぞれ形成した鉤状部１８を互いに係合させることにより一体化してあり、金属製框部材３ａと合成樹脂製框部材３ｂとで框内周側に開口するパネル取付溝３７ａを形成している。金属製框部材３ａは、框内周側に突出する室外側パネル保持片７ａを有している。
合成樹脂製框部材３ｂは、框内周側に突出する室内側パネル保持片８ａを有すると共に、框外周側に室内側パネル保持片８ａよりも室内側に突出する中空状の突出部１９ａを有している。パネル取付溝３７ａを形成する金属製框部材３ａの室外側パネル保持片７ａと合成樹脂製框部材３ｂの室内側パネル保持片８ａの間には、パネル６の上端部がグレイジングチャンネル２０を介して嵌め込んである。なおパネル６は、断熱性に優れた複層ガラスを使用している。さらに合成樹脂製框部材３ｂは、室内側パネル保持片８ａの基端部に室内側に向けて突出する突条２２を有すると共に、室内側パネル保持片８ａの先端部に室内側に向けて階段状に折れ曲がった形状の折り曲げ部３８が形成され、折り曲げ部３８の先端部を室内側に突出させて木質部材３ｃとの重なり部１０ａを形成してある。突出部１９ａと突条２２の間には凹部２３が形成され、図８に示すように、凹部２３内の左右二箇所に木質部材３ｃの係止部２４を設けてある。係止部２４は、図７に示すように、凹部２３の室内側面に埋め込んで金属製框部材３ａにビス２５で固定される基部２６と、基部２６の室内側面の上下端部より対向して突出した鉤形の係止爪２７，２７を有している。
木質部材３ｃは、合成樹脂製框部材３ｂの突出部１９ａの框内周側に配置してあり、室外側面には合成樹脂製框部材３ｂの突条２２と重なり部１０ａをそれぞれ収容する溝２８ａ，２８ｂが形成してあり、室外側面の左右二箇所には円い突起状の係合部２９がビス３０で取付けてある。係合部２９は、大径部２９ａと小径部２９ｂを有し、合成樹脂製框部材３ｂの室内側面に取付けた係止部２４の上下の係止爪２７，２７間に、框長手方向にのみスライド可能に係合している。室内側パネル保持片８ａの室内側面と木質部材３ｃの室外側面との間、及び室内側パネル保持片８ａの重なり部１０ａと木質部材３ｃの溝２８ｂとの間には、１〜４ｍｍ程度の隙間９ａ，９ｂが形成されている。この隙間９ａ，９ｂは、室内側パネル保持片８ａの重なり部１０ａを木質部材３ｃの室外側面に形成した溝２８ｂ内に収容し、重なり部１０ａを木質部材３ｃの室外側面側で木質部材と見付方向に重ねることで、室内側から見て見えないようにしてある。
【０００８】
下框４は、金属製框部材４ａと合成樹脂製框部材４ｂと木質部材４ｃとで、上框３と同様に構成してある。
【０００９】
左右の縦框５は、上下の框３，４と同様に、図２に示すように、室外側にアルミニウム合金の押出形材よりなる金属製框部材５ａを配置してあり、室内側に合成樹脂の押出形材よりなる合成樹脂製框部材５ｂを配置してあり、合成樹脂製框部材５ｂの室内側に帯板状の木質部材５ｃを配置してある。金属製框部材５ａと合成樹脂製框部材５ｂとは、金属製框部材５ａの室内側面と合成樹脂製框部材５ｂの室外側面とにそれぞれ形成した鉤状部１８を互いに係合させることにより一体化してあり、金属製框部材５ａと合成樹脂製框部材５ｂとで框内周側に開口するパネル取付溝３７ｂを形成している。金属製框部材５ａは、框内周側に突出する室外側パネル保持片７ｂを有している。
合成樹脂製框部材５ｂは、框内周側に突出する室内側パネル保持片８ｂを有すると共に、框外周側に室内側パネル保持片８ｂよりも室内側に突出する突出部１９ｂを有している。パネル取付溝３７ｂを形成する金属製框部材５ａの室外側パネル保持片７ｂと合成樹脂製框部材５ｂの室内側パネル保持片８ｂの間には、パネル６の側端部がグレイジングチャンネル２０を介して嵌め込んである。突出部１９ｂは、框外周側面に開口部３１を設けて溝状に形成してあり、開口部３１は目板３２を取付けて塞いである。さらに合成樹脂製框部材５ｂは、室内側パネル保持片８ｂの先端部に、室内側パネル保持片８ｂと直交するように室内側に向けてまっすぐに突出する木質部材５ｃとの重なり部１０ｂを形成してある。
木質部材５ｃは、合成樹脂製框部材５ｂの突出部１９ｂの框内周側に配置し、目板３２を取外した状態で框外周側から挿入したネジ３３により突出部１９ｂにネジ止めしてある。木質部材５ｃの室外側面には、合成樹脂製框部材５ｂの重なり部１０ｂを収容する溝３４が形成してある。室内側パネル保持片８ｂの室内側面と木質部材５ｃの室外側面との間、及び室内側パネル保持片８ｂの重なり部１０ｂと木質部材５ｃの溝３４との間には、１〜４ｍｍ程度の隙間９ｃ，９ｄが形成されている。この隙間９ｃ，９ｄは、室内側パネル保持片の重なり部１０ｂを木質部材５ｃの室外側面に形成した溝３４内に収容し、重なり部１０ｂを木質部材５ｃの室外側面側で木質部材と見付方向に重ねることで、室内側から見て見えないようにしてある。
【００１０】
窓枠１を構成する上枠１２、下枠１３、及び左右の縦枠１４は、図３と図４に示すように、アルミニウム合金製の室外側部材１２ａ，１３ａ，１４ａと室内側部材１２ｂ，１３ｂ，１４ｂを合成樹脂製の断熱部材３５で連結したものとなっている。上枠１２の上框３の突出部１９ａと対向する室外側面にはタイト材２１ａが取付けてあり、下枠１３の下框４の突出部１９ａと対向する室外側面にはタイト材２１ａが取付けてある。縦枠１４の縦框５の突出部１９ｂと対向する室外側面には、タイト材２１ｂが取付けてある。窓枠１の室内側には、木製の額縁３６を取付けてある。
【００１１】
障子２を組立てる際の手順を示すと、上框３、下框４、左右の縦框５は、それぞれ金属製框部材３ａ，４ａ，５ａと合成樹脂製框部材３ｂ，４ｂ，５ｂを一体化しておき、通常の障子を組立てる場合と同様に、各框内周側のパネル取付溝３７ａ，３７ｂの室外側パネル保持片７ａ，７ｂと室内側パネル保持片８ａ，８ｂの間に、グレイジングチャンネル２０を装着したパネル６の端部を嵌め込み、図１１に示すように、框の端部同士を突き合わせてビス（図示省略）で固定して障子の枠を形成する。障子コーナー部には、合成樹脂製のコーナーピース３６が取付けられ（図５参照）、各框部材の端面が塞がれている。上下框合成樹脂製框部材３ｂ，４ｂの重なり部１０ａと、縦框合成樹脂製框部材５ｂの重なり部１０ｂには、木質部材３ｃ，４ｃ，５ｃの取付けの邪魔にならないように、框長手方向の端部に切り欠き部３９ａ，３９ｂを設けてある。
木質部材３ｃ，４ｃ，５ｃの取付けは、図８（ａ）に示すように、一方の縦框５の木質部材５ｃのみを先に取付けてから、上框３と下框４の木質部材３ｃ，４ｃを、溝２８ａに合成樹脂製框部材の突状２２を挿通した上で、木質部材５ｃを取付けていない縦框５の側から横にスライドさせて係合部２９を合成樹脂製框部材の係止部２４に係合して取付ける。その後、図８（ｂ）に示すように、もう一方の縦框５の木質部材５ｃを室内側より縦框突出部１９ｂの框内周側に配置し、突出部１９ｂの框外周側に形成した開口部３１より突出部１９ｂを貫通してネジ３３を木質部材５ｃに捩じ込み、木質部材５ｃを突出部１９ｂにネジ止めする。その後、突出部の開口部３１に目板３２を取付ければ、ネジ３３が隠れる。上下框３，４の木質部材３ｃ，４ｃは、框長手方向の端面が左右の縦框の木質部材５ｃの框内周側面と当接し、左右の縦框５，５の木質部材５ｃ，５ｃの間に挟み込まれる形となり、左右方向の移動が規制される。
【００１２】
図９と図１０に示すように、パネル６の端部を各框の室外側パネル保持片７ａ，７ｂと室内側パネル保持片８ａ，８ｂの間に嵌め込む際や、パネル６の厚みが厚かったときなどには、室内側パネル保持片８ａ，８ｂが室内側に変形することがあるが、本障子では木質部材３ｃ，４ｃ，５ｃを取付けたときに室内側パネル保持片８ａ，８ｂの室内側に木質部材３ｃ，４ｃ，５ｃとの隙間９ａ，９ｂ，９ｃ，９ｄが形成されるため、木質部材３ｃ，４ｃ，５ｃは浮き上がったり歪みが生じたりすることなく正確に框に取付けられ、また障子開閉時の衝撃により木質部材３ｃ，４ｃ，５ｃがずれたり外れたりすることがない。室内側パネル保持片８ａ，８ｂと木質部材３ｃ，４ｃ，５ｃとの間の隙間９ａ，９ｂ，９ｃ，９ｄは、室内側パネル保持片８ａ，８ｂの先端部に木質部材３ｃ，４ｃ，５ｃの室外側面側で木質部材と見付方向に重なる重なり部１０ａ，１０ｂを設けてあることで室内側から見えず、意匠性が良好である。
【００１３】
さらに本障子は、上下框の木質部材３ｃ，４ｃの框長手方向の端面が左右縦框の木質部材５ｃ，５ｃの框内周側面に当接して矩形枠状に構成され、合成樹脂製框部材の突出部１９ａ，１９ｂにより形成される枠の内周側に隙間なく嵌め込まれており、且つ室内側面には取付用のビス等が一切露出しないことから、障子２室内側の意匠が極めて良好なものとなっている。
また、障子２を開ければ、縦框５の木質部材５ｃを框外周側からネジを外して取り外すことができ、そうすると上框３と下框４の木質部材３ｃ，４ｃは、左右方向にスライドして着脱できるため、障子２を窓枠１に取付けたままの状態でも、障子室内側面の木質部材３ｃ，４ｃ，５ｃを取替えできる。
さらに本窓は、障子２の閉鎖時には、窓枠１の各枠材１２，１３，１４に取付けたタイト材２１ａ，２１ｂが各框の突出部１９ａ，１９ｂの室内側面に密着するため、高い気密性、水密性を確保できる。木質部材が無くても気密性、水密性を確保できる。
【００１４】
本発明は以上に述べた実施形態に限定されない。障子の各框は、室内側パネル保持片の室内側に木質部材との隙間が形成されていればよく、木質部材の框への取付構造は任意であり、例えば木質部材を合成樹脂製框部材の室内側面や突出部の框内周側面に、マグネット、面ファスナー、接着剤等を用いて接着したものであってもよいし、突出部に框内周側からネジ止めしたものであってもよく、さらには図１２に示すように、上框と下框の木質部材３ｃ，４ｃを框外周側から突出部１９ａにネジ止めし、左右縦框の木質部材５ｃを係合部２９と係止部２４により上下方向にスライド可能に係合して取付けたものであってもよい。室内側パネル保持片の重なり部は、木質部材の室外側面側で木質部材と見付方向に重なり、室内側パネル保持片と木質部材との間の隙間が室内側から見えないようになっていればよく、その形態は特に限定されず、例えば室内側パネル保持片の先端より室内側にまっすぐのびる形状であってもよい。窓の形態は、引き違い窓、片引き窓、上げ下げ窓、回転窓等、いかなる形態であってもよい。
【図面の簡単な説明】
【００１５】
【図１】上框の縦断面図である。
【図２】縦框の横断面図である。
【図３】本発明に係る窓（たてすべり出し窓）の縦断面図である。
【図４】本発明に係る窓の横断面図である。
【図５】障子の室内側正面図である。
【図６】障子を全開したときの窓の横断面図である。
【図７】（ａ）は合成樹脂製框部材に取付ける係止部の平面図であり、（ｂ）は同室内側正面図、（ｃ）は同側面図である。
【図８】縦框と上框に木質部材を取付ける際の手順を順に示す上框内部における横断面図である。
【図９】上框にパネル上端部を嵌め込むときの状態を示す縦断面図である。
【図１０】縦框にパネル側端部を嵌め込むときの状態を示す横断面図である。
【図１１】上框と縦框との連結部を示す斜視図である。
【図１２】障子の別の実施形態を示す室内側正面図である。
【符号の説明】
【００１６】
１  窓枠
２  障子
３  上框
４  下框
５  縦框
６  パネル
３ａ，４ａ，５ａ  金属製框部材
３ｂ，４ｂ，５ｂ  合成樹脂製框部材
３ｃ，４ｃ，５ｃ  木質部材
７ａ，７ｂ  室外側パネル保持片
８ａ，８ｂ  室内側パネル保持片
９ａ，９ｂ，９ｃ，９ｄ  隙間
１０ａ，１０ｂ  重なり部
【図１】
0004812341.tif 000002
【図２】
0004812341.tif 000003
【図３】
0004812341.tif 000004
【図４】
0004812341.tif 000005
【図５】
0004812341.tif 000006
【図６】
0004812341.tif 000007
【図７】
0004812341.tif 000008
【図８】
0004812341.tif 000009
【図９】
0004812341.tif 000010
【図１０】
0004812341.tif 000011
【図１１】
0004812341.tif 000012
【図１２】
0004812341.tif 000013